(57)【特許請求の範囲】
【請求項１】
ユーザ機器(UE)によって送信された8アンテナのコードブック内の符号語のラベルを受信するステップと、
8アンテナの前記コードブック内で前記ラベルによって識別される前記符号語を検索するステップと、
前記符号語を使用することによって、送信されるデータをコーディングするステップと、
前記コーディングされたデータを送信するステップと
を含み、8アンテナの前記コードブックは、8アンテナの少なくとも1つのランク8の符号語を含み、8アンテナの前記ランク8の符号語は、8アンテナのランク4の符号語を拡張することによって得られ、
8アンテナの前記ランク4の符号語は、4アンテナの前記ランク4の符号語に対角行列を乗算し、4アンテナの前記ランク4の符号語と4アンテナの前記ランク4の符号語に前記対角行列を乗算することによって得られた行列とを連結することによって得られ、または
8アンテナの前記ランク4の符号語は、4アンテナの第1のランク4の符号語に対角行列を乗算し、4アンテナの第2のランク4の符号語と4アンテナの前記第1のランク4の符号語に前記対角行列を乗算することによって得られた行列とを連結することによって得られる、
データ伝送の方法。
【請求項２】
8アンテナのランク4の符号語を拡張することによって得られる8アンテナの前記ランク8の符号語は、
8アンテナの前記ランク8の符号語の最初の4列として8アンテナの最初のランク4の符号語を使用することと、8アンテナの前記ランク8の符号語の最後の4列として8アンテナの第２のランク4の符号語を使用することとによって得られる8アンテナの前記ランク8の符号語、または
8アンテナの前記ランク8の符号語の最初の4列として8アンテナの前記ランク4の符号語を使用することと、8アンテナの前記ランク8の符号語の最後の4列として8アンテナの前記ランク4の符号語の最初の4行または最後の4行の負の値を使用することとによって得られる8アンテナの前記ランク8の符号語、または
8アンテナの前記ランク8の符号語の最後の4列として8アンテナの前記ランク4の符号語を使用することと、8アンテナの前記ランク8の符号語の最初の4列として8アンテナの前記ランク4の符号語の最初の4行または最後の4行の負の値を使用することとによって得られる8アンテナの前記ランク8の符号語
を含む、請求項1に記載の方法。
【請求項３】
ユーザ機器(UE)によって送信された8アンテナのコードブック内の符号語のラベルを受信するステップと、
8アンテナの前記コードブック内で前記ラベルによって識別される前記符号語を検索するステップと、
前記符号語を使用することによって、送信されるデータをコーディングするステップと、
前記コーディングされたデータを送信するステップと
を含み、8アンテナの前記コードブックは、8アンテナの少なくとも1つのランク8の符号語を含み、8アンテナの前記ランク8の符号語は、8アンテナの回転行列
【数１】
0005519783.tif 000084
の逆行列に4アンテナのランク4の符号語によって形成される8次元行列を乗算することによって得られ、
4アンテナの前記ランク4の符号語によって形成される前記8次元行列の構造は、
【数２】
0005519783.tif 000085
、
【数３】
0005519783.tif 000086
、
【数４】
0005519783.tif 000087
、および
【数５】
0005519783.tif 000088
のうちの少なくとも1つであり、Xq(4)およびXp(4)は、それぞれ4アンテナの前記ランク4の符号語である、
データ伝送の方法。
【請求項４】
8アンテナの前記ランク8の符号語を得た後に、前記方法は、
8アンテナの前記得られたランク8の符号語の行を交換することによって、8アンテナの前記得られたランク8の符号語を除くアンテナの他の偏波グループ化内の符号語を得るステップ
を含む、請求項1または3に記載の方法。
【請求項５】
8アンテナのコードブック内で符号語を選択するステップと、
8アンテナの前記コードブック内の前記符号語のラベルをネットワークノードに送信するステップと
を含み、8アンテナの前記コードブックは、8アンテナの少なくとも1つのランク8の符号語を含み、8アンテナの前記ランク8の符号語は、8アンテナのランク4の符号語を拡張することによって得られ、
8アンテナの前記ランク8の符号語は、
4アンテナの前記ランク4の符号語と4アンテナの前記ランク4の符号語に対角行列を乗算することによって得られる行列とを連結することによって得られる8アンテナの前記ランク4の符号語、または
4アンテナの第2のランク4の符号語と4アンテナの第1のランク4の符号語に対角行列を乗算することによって得られる行列とを連結することによって得られる8アンテナの前記ランク4の符号語
を含む、データ伝送の方法。
【請求項６】
8アンテナのランク4の符号語を拡張することによって得られる8アンテナの前記ランク8の符号語は、
8アンテナの前記ランク8の符号語の最初の4列として8アンテナの最初のランク4の符号語を使用することと、8アンテナの前記ランク8の符号語の最後の4列として8アンテナの第２のランク4の符号語を使用することとによって得られる8アンテナの前記ランク8の符号語、または
8アンテナの前記ランク8の符号語の最初の4列として8アンテナの前記ランク4の符号語を使用することと、8アンテナの前記ランク8の符号語の最後の4列として8アンテナの前記ランク4の符号語の最初の4行または最後の4行の負の値を使用することとによって得られる8アンテナの前記ランク8の符号語、または
8アンテナの前記ランク8の符号語の最後の4列として8アンテナの前記ランク4の符号語を使用することと、8アンテナの前記ランク8の符号語の最初の4列として8アンテナの前記ランク4の符号語の最初の4行または最後の4行の負の値を使用することとによって得られる8アンテナの前記ランク8の符号語
を含む、請求項5に記載の方法。
【請求項７】
8アンテナのコードブック内で符号語を選択するステップと、
8アンテナの前記コードブック内の前記符号語のラベルをネットワークノードに送信するステップと
を含み、8アンテナの前記コードブックは、8アンテナの少なくとも1つのランク8の符号語を含み、8アンテナの前記ランク8の符号語は、8アンテナの回転行列Urot(8)の逆行列に4アンテナのランク4の符号語によって形成される8次元行列を乗算することによって得られ、
4アンテナの前記ランク4の符号語によって形成される前記8次元行列の構造は、
【数６】
0005519783.tif 000089
、
【数７】
0005519783.tif 000090
、
【数８】
0005519783.tif 000091
、および
【数９】
0005519783.tif 000092
のうちの少なくとも1つであり、Xq(4)およびXp(4)は、それぞれ4アンテナの前記ランク4の符号語である、データ伝送の方法。
【請求項８】
8アンテナのコードブックを格納するように構成されたストレージユニットであって、8アンテナの前記コードブックは、8アンテナの少なくとも1つのランク8の符号語を含み、8アンテナの前記ランク8の符号語は、8アンテナのランク4の符号語を拡張することによって得られる、ストレージユニットと、
ユーザ機器(UE)によって送信された8アンテナの前記コードブック内の符号語のラベルを受信するように構成された受信ユニットと、
前記ストレージユニットによって格納された8アンテナの前記コードブック内で、前記受信ユニットによって受信された前記ラベルによって識別される前記符号語を検索するように構成された検索ユニットと、
前記検索ユニットによって見つけられた前記符号語を使用することによって、送信されるデータをコーディングするように構成されたコーディングユニットと、
前記コーディングユニットによってコーディングされた前記データを送信するように構成された送信ユニットと
を含み、
前記ストレージユニットは、4アンテナの前記ランク4の符号語と、4アンテナの前記ランク4の符号語に対角行列を乗算することによって得られた行列とを連結することによって得られる8アンテナの前記ランク4の符号語を格納するようにさらに構成され、または、
前記ストレージユニットは、4アンテナの第2のランク4の符号語と4アンテナの第1のランク4の符号語に対角行列を乗算することによって得られた行列とを連結することとによって得られる8アンテナの前記ランク4の符号語を格納するようにさらに構成される
基地局装置。
【請求項９】
前記ストレージユニットは、8アンテナの前記ランク8の符号語の最初の4列として8アンテナの最初のランク4の符号語を使用することと、8アンテナの前記ランク8の符号語の最後の4列として8アンテナの第２のランク4の符号語を使用することとによって得られる8アンテナの前記ランク8の符号語を格納するようにさらに構成され、または、
前記ストレージユニットは、8アンテナの前記ランク8の符号語の最初の4列として8アンテナの前記ランク4の符号語を使用することと、8アンテナの前記ランク8の符号語の最後の4列として8アンテナの前記ランク4の符号語の最初の4行または最後の4行の負の値を使用することとによって得られる8アンテナの前記ランク8の符号語を格納するようにさらに構成され、または、
前記ストレージユニットは、8アンテナの前記ランク8の符号語の最後の4列として8アンテナの前記ランク4の符号語を使用することと、8アンテナの前記ランク8の符号語の最初の4列として8アンテナの前記ランク4の符号語の最初の4行または最後の4行の負の値を使用することとによって得られる8アンテナの前記ランク8の符号語を格納するようにさらに構成される
請求項8に記載の基地局装置。
【請求項１０】
8アンテナのコードブックを格納するように構成されたストレージユニットであって、8アンテナの前記コードブックは、8アンテナの少なくとも1つのランク8の符号語を含み、8アンテナの前記ランク8の符号語は、8アンテナの回転行列の逆行列に4アンテナのランク4の符号語によって形成される8次元行列を乗算することによって得られ、
ユーザ機器(UE)によって送信された8アンテナの前記コードブック内の符号語のラベルを受信するように構成された受信ユニットと、
前記ストレージユニットによって格納された8アンテナの前記コードブック内で、前記受信ユニットによって受信された前記ラベルによって識別される前記符号語を検索するように構成された検索ユニットと、
前記検索ユニットによって見つけられた前記符号語を使用することによって、送信されるデータをコーディングするように構成されたコーディングユニットと、
前記コーディングユニットによってコーディングされた前記データを送信するように構成された送信ユニットと
を含み、
4アンテナの前記ランク4の符号語によって形成される前記8次元行列の構造は、
【数１０】
0005519783.tif 000093
、
【数１１】
0005519783.tif 000094
、
【数１２】
0005519783.tif 000095
、および
【数１３】
0005519783.tif 000096
のうちの少なくとも1つであり、Xq(4)およびXp(4)は、それぞれ4アンテナの前記ランク4の符号語である、基地局装置。
【請求項１１】
8アンテナのコードブックを格納するように構成されたストレージユニットであって、8アンテナの前記コードブックは、8アンテナの少なくとも1つのランク8の符号語を含み、8アンテナの前記ランク8の符号語は、8アンテナのランク4の符号語を拡張することによって得られる、ストレージユニットと、
前記ストレージユニットによって格納された8アンテナの前記コードブック内の符号語を選択するように構成された選択ユニットと、
8アンテナの前記コードブック内の前記選択ユニットによって選択された前記符号語のラベルを基地局に送信するように構成された送信ユニットと
を含み、
前記ストレージユニットは、前記4アンテナのランク4の符号語と、4アンテナの前記ランク4の符号語に対角行列を乗算することによって得られた行列とを連結することとによって得られる8アンテナの前記ランク4の符号語を格納するようにさらに構成され、または、
前記ストレージユニットは、4アンテナの第2のランク4の符号語と4アンテナの第1のランク4の符号語に対角行列を乗算することによって得られた行列とを連結することとによって得られる8アンテナの前記ランク4の符号語を格納するようにさらに構成される
ユーザ機器(UE)。
【請求項１２】
前記ストレージユニットは、8アンテナの前記ランク8の符号語の最初の4列として8アンテナの最初のランク4の符号語を使用することと、8アンテナの前記ランク8の符号語の最後の4列として8アンテナの第２のランク4の符号語を使用することとによって得られる8アンテナの前記ランク8の符号語を格納するようにさらに構成され、または、
前記ストレージユニットは、8アンテナの前記ランク8の符号語の最初の4列として8アンテナの前記ランク4の符号語を使用することと、8アンテナの前記ランク8の符号語の最後の4列として8アンテナの前記ランク4の符号語の最初の4行または最後の4行の負の値を使用することとによって得られる8アンテナの前記ランク8の符号語を格納するようにさらに構成され、または、
前記ストレージユニットは、8アンテナの前記ランク8の符号語の最後の4列として8アンテナの前記ランク4の符号語を使用することと、8アンテナの前記ランク8の符号語の最初の4列として8アンテナの前記ランク4の符号語の最初の4行または最後の4行の負の値を使用することとによって得られる8アンテナの前記ランク8の符号語を格納するようにさらに構成される
請求項11に記載のユーザ機器(UE)。
【請求項１３】
8アンテナのコードブックを格納するように構成されたストレージユニットであって、8アンテナの前記コードブックは、8アンテナの少なくとも1つのランク8の符号語を含み、8アンテナの前記ランク8の符号語は、8アンテナの回転行列の逆行列に4アンテナのランク4の符号語によって形成される8次元行列を乗算することによって得られ、
前記ストレージユニットによって格納された8アンテナの前記コードブック内の符号語を選択するように構成された選択ユニットと、
8アンテナの前記コードブック内の前記選択ユニットによって選択された前記符号語のラベルを基地局に送信するように構成された送信ユニットと
を含み、
4アンテナの前記ランク4の符号語によって形成される前記8次元行列の構造は、
【数１４】
0005519783.tif 000097
、
【数１５】
0005519783.tif 000098
、
【数１６】
0005519783.tif 000099
、および
【数１７】
0005519783.tif 000100
のうちの少なくとも1つであり、Xq(4)およびXp(4)は、それぞれ4アンテナの前記ランク4の符号語である、
ユーザ機器(UE)。
【請求項１４】
8アンテナの少なくとも1つのランク8の符号語を出力する動作を、コンピュータに実行させるコードであって、8アンテナの前記ランク8の符号語は、8アンテナのランク4の符号語を拡張することによって生成されるコードと、
コードブックの生成をコンピュータに実行させるコードであって、前記コードブックは、8アンテナの前記少なくとも1つのランク8の符号語を含むコードと
を含み、
8アンテナの前記ランク4の符号語を得る動作を、コンピュータに実行させるコードであって、8アンテナの前記ランク4の符号語は、4アンテナのランク4の符号語と、4アンテナの前記ランク4の符号語に対角行列を乗算することによって得られた行列とを連結することによって生成されるコード、をさらに含む、または、
8アンテナの前記ランク4の符号語を得る動作を、コンピュータに実行させるコードであって、8アンテナの前記ランク4の符号語は、4アンテナの第2のランク4の符号語と、4アンテナの第1のランク4の符号語に対角行列を乗算することによって得られた行列とを連結することによって得られるコード、をさらに含む
コンピュータ可読記憶媒体。
【請求項１５】
8アンテナの前記ランク8の符号語を出力する動作を、コンピュータに実行させるコードであって、8アンテナの前記ランク8の符号語は、8アンテナの前記ランク8の符号語の最初の4列として8アンテナの最初のランク4の符号語を使用することと、8アンテナの前記ランク8の符号語の最後の4列として8アンテナの第２のランク4の符号語を使用することとによって得られる、コード、または、
8アンテナの前記ランク8の符号語を出力する動作を、コンピュータに実行させるコードであって、8アンテナの前記ランク8の符号語は、8アンテナの前記ランク8の符号語の最初の4列として8アンテナの前記ランク4の符号語を使用することと、8アンテナの前記ランク8の符号語の最後の4列として8アンテナの前記ランク4の符号語の最初の4行または最後の4行の負の値を使用することとによって得られる、コード、または、
8アンテナの前記ランク8の符号語を出力する動作を、コンピュータに実行させるコードであって、8アンテナの前記ランク8の符号語は、8アンテナの前記ランク8の符号語の最後の4列として8アンテナの前記ランク4の符号語を使用することと、8アンテナの前記ランク8の符号語の最初の4列として8アンテナの前記ランク4の符号語の最初の4行または最後の4行の負の値を使用することとによって得られる、コード
をさらに含む、請求項14に記載のコンピュータ可読記憶媒体。
【請求項１６】
8アンテナの少なくとも1つのランク8の符号語を出力する動作を、コンピュータに実行させるコードであって、8アンテナの前記ランク8の符号語は、8アンテナの回転行列の逆行列に4アンテナのランク4の符号語によって形成される8次元行列を乗算することによって得られ、4アンテナの前記ランク4の符号語によって形成される前記8次元行列の構造は、
【数１８】
0005519783.tif 000101
、
【数１９】
0005519783.tif 000102
、
【数２０】
0005519783.tif 000103
、および
【数２１】
0005519783.tif 000104
のうちの少なくとも1つであり、Xq(4)およびXp(4)は、それぞれ4アンテナの前記ランク4の符号語である、コードと、
コードブックの生成をコンピュータに実行させるコードであって、前記コードブックは、8アンテナの前記少なくとも1つのランク8の符号語を含むコードと
を含む、コンピュータ可読記憶媒体。
【発明の詳細な説明】
【技術分野】
【０００１】
本願は、参照によってその全体が本明細書に組み込まれている、2009年6月18日に中国特許局に出願した中国特許出願第200910139469.2号、名称「METHOD FOR GENERATING CODEBOOK, METHOD AND APPARATUS FOR DATA TRANSMISSION」の優先権を主張するものである。
【０００２】
本発明は、通信技術の分野に関し、具体的には、コードブックを生成する方法と、データ伝送の方法および装置とに関する。
【背景技術】
【０００３】
ピークスペクトラム効率の要求を満足するために、基地局側での8アンテナのサポートが、無線セルラモバイル通信システムの新世代のためのLong Term Evolution Advanced(LTE-A)標準規格の形成中に追加された。
【０００４】
8アンテナのコードブックは、クロネッカ積を作るために2アンテナのコードブックおよび4アンテナのコードブックを使用することによって設計され、式(1)に具体的に示された8アンテナのフルランクコードブックCB8(8)を生成するために、クロネッカ積を作るために4アンテナのコードブックおよび2アンテナのコードブックを使用する。
【０００５】
【数１】
0005519783.tif 000002
【０００６】
ここで、
【０００７】
【数２】
0005519783.tif 000003
【０００８】
であり、nは、2または4と等しく、W(2)は、2アンテナのコードブックであり、W(4)は、4アンテナのコードブックであり、CB2(2)は、2アンテナのフルランクコードブックであり、CB4(4)は、4アンテナのフルランクコードブックである。8アンテナ用の符号語は、二重偏波通信路の特性に適合されず、二重偏波アンテナに効果的に適用することができない。
【発明の概要】
【課題を解決するための手段】
【０００９】
本発明は、二重偏波強相関、二重偏波弱相関、単一偏波(single-polarization)強相関、および単一偏波弱相関を含むシナリオに適用可能である、コードブックを生成する方法とデータ伝送の方法および装置とを対象とする。
【００１０】
したがって、本発明の実施形態は、下記を提供する。
【００１１】
8アンテナの回転行列
【００１２】
【数３】
0005519783.tif 000004
【００１３】
を得るステップと、
4アンテナのランク4の符号語を得るステップと、
回転行列の逆行列に4アンテナのランク4の符号語によって形成される8次元行列を乗算することによって8アンテナのランク8の符号語を得るステップであって、8アンテナのランク8の符号語は、送信されるデータをコーディングするために基地局によって使用される、ステップと
を含む、コードブックを生成する方法。
【００１４】
4アンテナの符号語を得るステップと、
4アンテナの符号語を使用することによって8アンテナのランク1の符号語または8アンテナのランク4の符号語を得るステップと
を含む、コードブックを生成する方法。
【００１５】
ユーザ機器(UE)によって送信された8アンテナのコードブック内の符号語のラベルを受信するステップと、
8アンテナのコードブック内でラベルによって識別される符号語を検索するステップと、
符号語を使用することによって、送信されるデータをコーディングするステップと、コーディングされたデータを送信するステップと
を含み、8アンテナのコードブックは、8アンテナの少なくとも1つのランク8の符号語を含み、ランク8の符号語は、8アンテナの回転行列の逆行列に4アンテナのランク4の符号語によって形成される8次元行列を乗算することによって得られ、または、8アンテナのランク4の符号語を拡張することによって得られ、8アンテナのランク4の符号語は、4アンテナの符号語に従って得られる
データ伝送の方法。
【００１６】
8アンテナのコードブック内で符号語を選択するステップと、
8アンテナのコードブック内の符号語のラベルを基地局に送信するステップと
を含み、8アンテナのコードブックは、少なくとも、8アンテナの1つのランク8の符号語を含み、8アンテナのランク8の符号語は、8アンテナの回転行列の逆行列に4アンテナのランク4の符号語によって形成される8次元行列を乗算することによって得られ、または、8アンテナのランク4の符号語を拡張することによって得られ、8アンテナのランク4の符号語は、4アンテナの符号語に従って得られる
データ伝送の方法。
【００１７】
8アンテナのコードブックを格納するように構成されたストレージユニットであって、8アンテナのコードブックは、8アンテナの少なくとも1つのランク8の符号語を含み、8アンテナのランク8の符号語は、8アンテナの回転行列の逆行列に4アンテナのランク4の符号語によって形成される8次元行列を乗算することによって得られ、または、8アンテナのランク4の符号語を拡張することによって得られ、8アンテナのランク4の符号語は、4アンテナの符号語に従って得られる、ストレージユニットと、
UEによって送信された8アンテナのコードブック内の符号語のラベルを受信するように構成された受信ユニットと、
8アンテナのコードブック内で、ラベルによって識別される符号語を検索するように構成された検索ユニットと、
検索ユニットによって見つけられた符号語を使用することによって、送信されるデータをコーディングするように構成されたコーディングユニットと、
コーディングユニットによってコーディングされたデータを送信するように構成された送信ユニットと
を含む基地局装置。
【００１８】
8アンテナのコードブックを格納するように構成されたストレージユニットであって、8アンテナのコードブックは、少なくとも、8アンテナの1つのランク8の符号語を含み、8アンテナのランク8の符号語は、8アンテナの回転行列の逆行列に4アンテナのランク4の符号語によって形成される8次元行列を乗算することによって得られ、または、8アンテナのランク4の符号語を拡張することによって得られ、8アンテナのランク4の符号語は、4アンテナの符号語に従って得られる、ストレージユニットと、
8アンテナのコードブックから符号語を選択するように構成された選択ユニットと、
8アンテナのコードブック内の選択された符号語のラベルを基地局に送信するように構成された送信ユニットと
を含むUE。
【００１９】
本発明の実施形態によれば、8アンテナのランク8の符号語は、8アンテナの回転行列および4アンテナのランク4の符号語に従って得られる。8アンテナのランク8の符号語は、二重偏波通信路の特性に適合することができ、二重偏波強相関、二重偏波弱相関、単一偏波強相関、および単一偏波弱相関を含むシナリオに適用可能である。
【００２０】
本発明の実施形態によれば、8アンテナのランク1の符号語または8アンテナのランク4の符号語は、4アンテナの符号語を使用することによって得られる。8アンテナの符号語は、二重偏波通信路の特性に適合することができ、二重偏波強相関、二重偏波弱相関、単一偏波強相関、および単一偏波弱相関を含むシナリオに適用可能である。
【００２１】
本発明の実施形態による技術的解決策または従来技術の技術的解決策をより明瞭に示すために、実施形態または従来技術を説明するための添付図面を、次で短く紹介する。明らかに、次の説明の添付図面は、本発明のいくつかの実施形態にすぎず、当業者は、創造的努力を伴わずに添付図面から他の図面を導出することができる。
【図面の簡単な説明】
【００２２】
【図１】本発明の実施形態1によるコードブックを生成する方法を示す流れ図である。
【図２】本発明の実施形態2によるコードブックを生成する方法を示す流れ図である。
【図３】本発明の実施形態2による8アンテナの偏波方向を示す概略図である。
【図４】本発明の実施形態3によるコードブックを生成する方法を示す流れ図である。
【図５】本発明の実施形態4によるコードブックを生成する方法を示す流れ図である。
【図６】本発明の実施形態6によるコードブックを生成する方法を示す流れ図である。
【図７】本発明の実施形態7によるコードブックを生成する方法を示す流れ図である。
【図８】本発明の実施形態8によるデータ伝送の方法を示す流れ図である。
【図９】本発明の実施形態9によるデータ伝送の方法を示す流れ図である。
【図１０】本発明の実施形態10によるデータ伝送の方法を示す流れ図である。
【図１１】本発明の実施形態11による基地局装置を示す構造図である。
【図１２】本発明の実施形態12によるUEを示す構造図である。
【発明を実施するための形態】
【００２３】
本発明の目的、技術的解決策、および利益をより理解できるものにするために、本発明を、実施形態および添付図面を参照して下で詳細にさらに説明する。本発明でのネットワークノードは、eNBまたは中継ノード(RN)とすることができ、RNまたはeNBを、それぞれ、下の例示についてネットワークノードの例と考えることができる。説明される実施形態が、本発明の実施形態のすべてではなく一部にすぎないことは、明白である。創造的努力を伴わずに本発明の実施形態に基づいて当業者によって得られるすべての他の実施形態は、本発明の保護範囲に含まれなければならない。
【００２４】
実施形態1
本発明の実施形態1は、8アンテナのコードブックを生成する方法を提供する。図1を参照すると、この方法は、次を含む。
【００２５】
ブロック101では、8アンテナ(8TX)の回転行列を得る。
【００２６】
ブロック102では、4アンテナ(4TX)のランク4の符号語を得る。
【００２７】
ブロック103では、8アンテナの回転行列の逆行列に4アンテナのランク4の符号語によって形成される8次元行列を乗算することによって8アンテナのランク8の符号語を得る。8アンテナのランク8の符号語は、送信されるデータをコーディングするために基地局によって使用される。
【００２８】
4アンテナのランク4の符号語によって形成される8次元行列の構造は、
【００２９】
【数４】
0005519783.tif 000005
【００３０】
、
【００３１】
【数５】
0005519783.tif 000006
【００３２】
、
【００３３】
【数６】
0005519783.tif 000007
【００３４】
、または
【００３５】
【数７】
0005519783.tif 000008
【００３６】
であり、ここで、Xq(4)およびXp(4)は、それぞれ4アンテナのランク4の符号語である。
【００３７】
本発明の実施形態1によれば、8アンテナのランク8の符号語は、8アンテナの回転行列および4アンテナのランク4の符号語に従って得られる。8アンテナのランク8の符号語は、二重偏波通信路の特性に適合することができ、二重偏波強相関、二重偏波弱相関、単一偏波強相関、および単一偏波弱相関を含むシナリオに適用可能である。
【００３８】
実施形態2
本発明の実施形態2は、コードブックを生成する方法を提供する。図2を参照すると、この実施形態によれば、基地局の送信アンテナが、偏波方向に従って{1,2,3,4}および{5,6,7,8}としてグループ化され、基地局側のアンテナの偏波方向が、±45°である(図3に示されているように)が、UE側の受信アンテナの偏波方向が、0°/90°であると仮定される。8アンテナの符号語は、8アンテナの回転行列および4アンテナの符号語を使用することによって得られ、この方法は、具体的には次を含む。
【００３９】
ブロック201では、8アンテナの回転行列を得る。
【００４０】
8アンテナの回転行列は、
【００４１】
【数８】
0005519783.tif 000009
【００４２】
であり、±45°の偏波方向を有する通信路行列は、
【００４３】
【数９】
0005519783.tif 000010
【００４４】
であり、ここで、HVHは、0°/90°の偏波方向を有する通信路行列である。
【００４５】
ブロック202では、4アンテナのランク4コードブック(すなわち、ランクが4と等しい、4アンテナのコードブック)を得る。
【００４６】
このステップで得られる4アンテナのランク4コードブックが、CB(4)={X1(4),X2(4),…XN(4)}であり、X1(4)、X2(4)…XN(4)が、それぞれ4アンテナのランク4の符号語であると仮定する。
【００４７】
ブロック203では、8アンテナの回転行列の逆行列に4アンテナのランク4の符号語によって形成される8次元行列を乗算することによって、8アンテナのランク8の符号語を得る。
【００４８】
4アンテナのランク4の符号語によって形成される8次元行列の構造は、
【００４９】
【数１０】
0005519783.tif 000011
【００５０】
、
【００５１】
【数１１】
0005519783.tif 000012
【００５２】
、
【００５３】
【数１２】
0005519783.tif 000013
【００５４】
、または
【００５５】
【数１３】
0005519783.tif 000014
【００５６】
であり、Xq(4)およびXp(4)は、それぞれ4アンテナのランク4の符号語である。
【００５７】
具体的に言うと、このステップによれば、8アンテナのランク8の符号語を、次の式(3)または式(4)を介して得ることができる。
【００５８】
【数１４】
0005519783.tif 000015
【００５９】
【数１５】
0005519783.tif 000016
【００６０】
ここで、Wm(8)は、8アンテナのランク8コードブック内の第m符号語であり、
Xp(4)およびXq(4)は、それぞれ4アンテナのランク4コードブック内の符号語である。
【００６１】
代替案では、Wm(8)を、次の式
【００６２】
【数１６】
0005519783.tif 000017
【００６３】
または
【００６４】
【数１７】
0005519783.tif 000018
【００６５】
を介して得ることができ、本発明の態様は、影響を受けない。
【００６６】
アンテナの他の偏波グループ化における符号語を、このステップで得られる8アンテナのランク8の符号語の行を交換することによって得ることができ、符号語が、8アンテナのランク8の符号語の行または列にスカラを乗算することによって変更されないことに留意されたい。
【００６７】
本発明の実施形態2によれば、8アンテナのランク8の符号語は、8アンテナの回転行列および4アンテナのランク4の符号語に従って得られる。8アンテナのランク8の符号語は、4アンテナのランク4の符号語に基づき、その結果、コードブック設計の複雑さが単純化されるようになる。本発明の実施形態を介して得られる8アンテナの符号語は、入れ子になった特性および有限の文字セットを有し、これは、Channel Quality Indicator(CQI)の計算的複雑さを下げ、基地局およびUEのストレージ空間を減らすことができる。8アンテナの符号語を、二重偏波強相関、二重偏波弱相関、単一偏波強相関、および単一偏波弱相関などを含むシナリオに適用可能とすることができる。
【００６８】
実施形態3
本発明の実施形態3は、コードブックを生成する方法を提供する。図4を参照すると、この方法は、次を含む。
【００６９】
ブロック401では、4アンテナの符号語を得る。
【００７０】
ブロック402では、4アンテナの符号語を使用することによって、8アンテナのランク1の符号語または8アンテナのランク4の符号語を得る。
【００７１】
本発明の実施形態3によれば、8アンテナのランク1の符号語または8アンテナのランク4の符号語は、4アンテナの符号語を使用すること(コードブック設計の複雑さを単純化する)によって直接に得られ、二重偏波強相関、二重偏波弱相関、単一偏波強相関、および単一偏波弱相関などを含むシナリオに適用可能とすることができる。
【００７２】
実施形態4
本発明の実施形態4は、コードブックを生成する方法を提供する。図5を参照すると、この方法は、4アンテナの符号語を使用することによって8アンテナのランク1の符号語を得ることと、8アンテナのランク1の符号語を使用することによって8アンテナのランク4の符号語を得ることと、8アンテナのランク4の符号語を拡張することによって8アンテナのランク8の符号語を得ることとを含む。この方法は、具体的には次を含む。
【００７３】
ブロック501では、設計要件に従って8アンテナコードブックのコードブックのサイズPを判定する。
【００７４】
8アンテナのコードブックのサイズは、8アンテナのコードブック内の符号語の個数である。
【００７５】
ブロック502では、単一偏波強相関のシナリオについて最適化された符号語の個数がQであることと、二重偏波強相関のシナリオについて最適化された符号語の個数がRであることとを判定し、ここで、Q+R<Pである。
【００７６】
ブロック503では、単一偏波強相関のシナリオについて最適化された8アンテナのランク1の符号語および二重偏波強相関のシナリオについて最適化された8アンテナのランク1の符号語を得、単一偏波強相関のシナリオについて最適化された8アンテナのランク1の符号語および二重偏波強相関のシナリオについて最適化された8アンテナランク1の符号語内の繰り返される符号語を削除する。
【００７７】
具体的に言うと、特に単一偏波強相関のシナリオについて最適化された8アンテナランク1の符号語を判定するプロセスは、次を含む。
【００７８】
(1)Qのサイズを有する4送信アンテナの離散フーリエ変換(DFT)ベースのランク1の符号語(4アンテナのDFTベースのランク1の符号語とも呼ばれる)を、式(5)を使用することによって生成する。
【００７９】
【数１８】
0005519783.tif 000019
【００８０】
ここで、NTは、送信アンテナの個数4であり、
【００８１】
【数１９】
0005519783.tif 000020
【００８２】
は、コードブック内の第g符号語の第m行第n列の要素である。
【００８３】
(2)8アンテナのランク1の符号語は、4送信アンテナのDFTベースのランク1の符号語vp(4)に最適化されたパラメータ
【００８４】
【数２０】
0005519783.tif 000021
【００８５】
を乗算することと、その後、4送信アンテナのDFTベースのランク1の符号語vp(4)および乗算によって得られた行列を連結することとによって得られる。
【００８６】
8アンテナのランク1の符号語は、式(6)および(7)を使用することによって得られる。
【００８７】
【数２１】
0005519783.tif 000022
【００８８】
ここで、最適化されたパラメータ
【００８９】
【数２２】
0005519783.tif 000023
【００９０】
であり、vp(4)は、
【００９１】
【数２３】
0005519783.tif 000024
【００９２】
に従って得られた4送信アンテナのDFTベースのランク1の符号語を表す。
【００９３】
二重偏波相関のシナリオに関して、この実施形態では、基地局側のアンテナの偏波方向が±45°であり、UE側の受信アンテナの偏波方向が0°/90°であると仮定する。具体的に言うと、二重偏波強相関のシナリオについて最適化された8アンテナのランク1の符号語を判定するプロセスは、次を含む。
【００９４】
(1)4送信アンテナのランク4の符号語は、次を介して得られる。
【００９５】
【数２４】
0005519783.tif 000025
【００９６】
【数２５】
0005519783.tif 000026
【００９７】
ここで、
【００９８】
【数２６】
0005519783.tif 000027
【００９９】
であり、このステップで得られる4送信アンテナのランク4の符号語は、Mr(4)の第2列を第3列と交換することによって得られる行列がブロック対角行列であることを保証することを必要とする。
【０１００】
(2)アンテナの偏波グループ化が、{1,2,5,6}および{3,4,7,8}である場合には、8アンテナのランク1の符号語は、式(10)を使用することによって得られる。アンテナの偏波グループ化が、{1,2,7,8}および{3,4,5,6}である場合には、8アンテナのランク1の符号語は、式(11)を使用することによって得られる。
【０１０１】
アンテナの偏波グループ化が、{1,2,5,6}および{3,4,7,8}である時には、4行1列を有する行列が、4アンテナの回転行列にMr(4)の第1列を乗算することによって得られる。4行1列を有するこの行列に、最適化されたパラメータ
【０１０２】
【数２７】
0005519783.tif 000028
【０１０３】
を乗算して、行列を得る。8アンテナのランク1の符号語は、4行1列を有する行列に最適化されたパラメータ
【０１０４】
【数２８】
0005519783.tif 000029
【０１０５】
を乗算することによって得られた行列に、4行1列を有する行列
【０１０６】
【数２９】
0005519783.tif 000030
【０１０７】
を連結することによって得られ、ここで、
【０１０８】
【数３０】
0005519783.tif 000031
【０１０９】
および
【０１１０】
【数３１】
0005519783.tif 000032
【０１１１】
である。
【０１１２】
アンテナの偏波グループ化が、{1,2,7,8}および{3,4,5,6}である時には、第1の行列が、4アンテナの回転行列にMr(4)の第1列を乗算することによって得られ、rが1からR/2までの範囲内にある場合には、第2の行列が、4アンテナの回転行列に
【０１１３】
【数３２】
0005519783.tif 000033
【０１１４】
の第1列および最適化されたパラメータ
【０１１５】
【数３３】
0005519783.tif 000034
【０１１６】
を乗算することによって得られ、8アンテナランク1の符号語は、第1の行列と第2の行列とを連結することによって得られるが、rが(R/2)+1からRまでの範囲内にある場合には、第3の行列が、4アンテナの回転行列に
【０１１７】
【数３４】
0005519783.tif 000035
【０１１８】
の第1列および最適化されたパラメータ
【０１１９】
【数３５】
0005519783.tif 000036
【０１２０】
を乗算することによって得られ、8アンテナランク1の符号語は、第1の行列と第3の行列とを連結することによって得られる。
【０１２１】
【数３６】
0005519783.tif 000037
【０１２２】
ここで、
【０１２３】
【数３７】
0005519783.tif 000038
【０１２４】
および
【０１２５】
【数３８】
0005519783.tif 000039
【０１２６】
である。
【０１２７】
繰り返されるランク1の符号語の定義は、符号語aを、スカラcを乗算された符号語bとして書くことができる、すなわちa=b・cである場合に、対応する符号語aが符号語cを用いて繰り返されることであることに留意されたい。
【０１２８】
ブロック504では、二重偏波弱相関のシナリオについて最適化された8アンテナのランク1の符号語を得る。
【０１２９】
ブロック503では、単一偏波強相関のシナリオについて最適化された8アンテナのランク1の符号語および二重偏波強相関のシナリオについて最適化された8アンテナのランク1の符号語の繰り返される符号語の個数が、Sであり、その結果、二重偏波弱相関のシナリオについて最適化された8アンテナのランク1の符号語の個数が、P-(Q+R)+Sになると仮定される。
【０１３０】
二重偏波弱相関のシナリオに関して、第4の行列が、4アンテナの回転行列に
【０１３１】
【数３９】
0005519783.tif 000040
【０１３２】
の第1列を乗算することによって得られ、第5の行列が、4アンテナの回転行列に
【０１３３】
【数４０】
0005519783.tif 000041
【０１３４】
の第1列および最適化されたパラメータ
【０１３５】
【数４１】
0005519783.tif 000042
【０１３６】
を乗算することによって得られ、8アンテナのランク1の符号語は、第4の行列および第5の行列を連結することによって得られる。
【０１３７】
アンテナの偏波グループ化が、{1,2,5,6}および{3,4,7,8}である場合には、8アンテナのランク1の符号語は、次の式(12)を使用することによって得られる。
【０１３８】
【数４２】
0005519783.tif 000043
【０１３９】
アンテナの偏波グループ化が、{1,2,7,8}および{3,4,5,6}である場合には、8アンテナのランク1の符号語は、次の式(13)を使用することによって得られる。
【０１４０】
【数４３】
0005519783.tif 000044
【０１４１】
ブロック505では、8アンテナのランク1の符号語の最初の4行に4アンテナのランク1の符号語を拡張することによって得られた4アンテナのランク4の符号語と、8アンテナのランク1の符号語の最後の4行に4アンテナのランク1の符号語を拡張することによって得られた4アンテナのランク4の符号語と、その後に対角行列を乗算することとに従って、8アンテナのランク4の符号語を得る。
【０１４２】
(1)単一偏波強相関のシナリオに関して、次の2つの形を、4アンテナのランク4の符号語Mpを得るために適合させることができる。
【０１４３】
第1の形は、4アンテナのランク4の符号語Mpが、4アンテナのランク1の符号語に対してハウスホルダ変換を実行する(式(13a)に示されているように)ことによって得られることである。
【０１４４】
【数４４】
0005519783.tif 000045
【０１４５】
ここで、vp(4)は、4アンテナのランク1の符号語を表す。
【０１４６】
第2の形は、4アンテナのランク4の符号語Mpが、次の式(13b)を使用することと、制約条件として式(13c)を採用することとによって得られることである。
Mp=ep・T  (13b)
ここで、epは、対角行列であり、epは、vp(4)に関連し、vp(4)は、Mpの第1列である(式(13c)を参照されたい)。
vp(4)=Mp(:,1)  (13c)
ここで、Tは、4×4次元ユニタリ行列(DFT行列など)である。
【０１４７】
二重偏波強相関のシナリオに関して、8アンテナのランク1の符号語内の4アンテナのランク1の符号語は、式(14)に示されているように、4アンテナのランク4の符号語を生成するために拡張される。
UrotMr(4)(:,1)→UrotMr(4)(:,1:4)  (14)
【０１４８】
(2)8アンテナのランク4の符号語を得るために、8アンテナのランク1の符号語の最後の4行内の4アンテナのランク1の符号語に対角行列を乗算し拡張することによって、4アンテナのランク4の符号語を得る。
【０１４９】
次の行列は、単一偏波強相関のシナリオについて最適化された8アンテナのランク4の符号語である。
【０１５０】
【数４５】
0005519783.tif 000046
【０１５１】
次の行列は、アンテナの偏波グループ化が{1,2,5,6}および{3,4,7,8}である時の二重偏波強相関のシナリオについて最適化された8アンテナのランク4の符号語である。
【０１５２】
【数４６】
0005519783.tif 000047
【０１５３】
次の行列は、二重偏波弱相関のシナリオについて最適化された8アンテナのランク4の符号語である。
【０１５４】
【数４７】
0005519783.tif 000048
【０１５５】
ここで、Λは、高いランク(すなわち、ランク>1)の符号距離を最適化するのに使用される対角行列であり、Λ(1,1)=ejθは、ランク1の符号語最適化プロセスによって既にセットされ、決定され、Λ(2,2)は、指向性を介して判定され得、または、ランク2の符号語の弦距離を最適化することによって得られ得る。
【０１５６】
ブロック506では、8アンテナのランク4の符号語を拡張することによって、8アンテナのランク8の符号語を得る。8アンテナのランク8コードブック内の符号語の直交性が、保証される。
【０１５７】
このステップの特定の実施の形は、8アンテナのランク8の符号語の最初の4列として8アンテナのランク4の符号語を使用することおよび8アンテナのランク8の符号語の最後の4列として8アンテナのランク4の符号語の最初の4行または最後の4行の負の値を使用すること、または8アンテナのランク8の符号語の最後の4列として8アンテナのランク4の符号語を使用することおよび8アンテナのランク8の符号語の最初の4列として8アンテナのランク4の符号語の最初の4行または最後の4行の負の値を使用することとすることができる。
【０１５８】
単一偏波強相関のシナリオについて最適化された8アンテナのランク8の符号語は、次の行列を形成することができる。
【０１５９】
【数４８】
0005519783.tif 000049
【０１６０】
アンテナの偏波グループ化が{1,2,5,6}および{3,4,7,8}である時には、二重偏波強相関のシナリオについて最適化された8アンテナのランク8の符号語は、次の行列を形成することができる。
【０１６１】
【数４９】
0005519783.tif 000050
【０１６２】
二重偏波弱相関のシナリオについて最適化された8アンテナのランク8の符号語は、次の行列を形成することができる。
【０１６３】
【数５０】
0005519783.tif 000051
【０１６４】
上の実施形態では、8アンテナのランク1の符号語は、1のランクを有する8アンテナの符号語であり、8アンテナのランク4の符号語は、4のランクを有する8アンテナの符号語であり、8アンテナのランク8の符号語は、8のランクを有する8アンテナの符号語であり、4送信アンテナのランク1の符号語は、1のランクを有する4送信アンテナの符号語であり、4送信アンテナのランク4の符号語は、4のランクを有する4送信アンテナの符号語である。
【０１６５】
本発明の第4の実施形態に従って、4アンテナのランク4の符号語を使用することによって8アンテナのランク1の符号語を得、8アンテナのランク4の符号語を得、その後、8アンテナのランク4の符号語を拡張することによって8アンテナのランク8の符号語を得る。8アンテナの符号語は、4アンテナの符号語に基づいて生成され、これによって、コードブック設計の複雑さを単純化する。8アンテナの符号語は、入れ子になった特性および有限の文字セットを有し、これは、CQIの計算的複雑さを下げることができる。8アンテナの符号語は、二重偏波強相関、二重偏波弱相関、単一偏波強相関、および単一偏波弱相関などを含むシナリオに適用可能である。
【０１６６】
実施形態5
本発明の実施形態5は、コードブックを生成する方法を提供し、実施形態4からのこの方法の相違は、次の通りである。
【０１６７】
単一偏波強相関のシナリオについて最適化された8アンテナランク1の符号語の設計方法が、異なり、特定の設計プロセスは、次を含む。
【０１６８】
Qのサイズを有する8送信アンテナのDFTベースのランク1の符号語xp(8)が、まず生成され、ここで、p∈{1,2,…Q}である。式(5)を、実施のために使用することができ、今回は、式(5)内のNTが8である。
【０１６９】
4アンテナのランク1の符号語vp(4)は、次の式を使用することによって得られる。
【０１７０】
【数５１】
0005519783.tif 000052
【０１７１】
8アンテナのランク1の符号語は、4アンテナの符号語を連結し、回転することによって生成され、特定の実施の形は、次の式を使用することができる。
【０１７２】
【数５２】
0005519783.tif 000053
【０１７３】
ここで、
【０１７４】
【数５３】
0005519783.tif 000054
【０１７５】
である。
【０１７６】
本発明の実施形態によれば、アンテナの偏波グループ化は、{1,2,3,4}および{5,6,7,8}であり、したがって、実施形態2から得られた8アンテナのランク8の符号語の第3行および第4行が、第5行および第6行と交換され、次の式が参照される。
【０１７７】
【数５４】
0005519783.tif 000055
【０１７８】
ここで、
【０１７９】
【数５５】
0005519783.tif 000056
【０１８０】
本発明の実施形態5に従って、4アンテナランク4の符号語を使用することによって8アンテナのランク1の符号語を得、8アンテナのランク4の符号語を得、その後、8アンテナのランク4の符号語を拡張することによって8アンテナのランク8の符号語を得る。8アンテナの符号語は、4アンテナの符号語に基づき、これによって、コードブック設計の複雑さを単純化する。8アンテナの符号語は、入れ子になった特性および有限の文字セットを有し、これは、CQIの計算的複雑さを下げることができ、基地局およびUEのストレージ空間を減らすことができる。8アンテナの符号語は、二重偏波強相関、二重偏波弱相関、単一偏波強相関、および単一偏波弱相関などを含むシナリオに適用可能である。
【０１８１】
実施形態6
本発明の実施形態6は、コードブックを生成する方法を提供し、このコードブックは、単一偏波強相関のシナリオに適用可能である。図6を参照すると、8アンテナのランク4の符号語は、この実施形態によれば、4アンテナのランク4の符号語から直接に得られる。この方法は、具体的には次を含む。
【０１８２】
ブロック601では、単一偏波強相関のシナリオに関して、4送信アンテナのDFTベースのランク1の符号語を生成し、4アンテナのランク4の符号語を、4送信アンテナのDFTベースのランク1の符号語に従って得る。
【０１８３】
Qのサイズを有する4送信アンテナのDFTベースのランク1の符号語を生成する形は、式(5)を使用することができ、4送信アンテナのDFTベースのランク1の符号語に従って4アンテナのランク4の符号語を得る形は、式(13a)または式(13b)および(13c)を使用することができる。
【０１８４】
ブロック602では、4アンテナのランク4の符号語に対角行列を乗算し、8アンテナのランク4の符号語を、4アンテナのランク4の符号語と4アンテナのランク4の符号語に対角行列を乗算することによって得られた行列とを連結することによって得る。
【０１８５】
8アンテナのランク4の符号語の構造を
【０１８６】
【数５６】
0005519783.tif 000057
【０１８７】
とすることができ、ここで、Λpは、対角行列であり、pは、8アンテナのランク4の符号語が8アンテナのランク4コードブック内のp番目の符号語であることを表し、Mp(4)は、4アンテナのランク4の符号語を表す。
【０１８８】
代替案では、このステップで、4アンテナの第1のランク4の符号語に対角行列を乗算し、8アンテナのランク4の符号語を、4アンテナの第2のランク4の符号語と、第1の4アンテナランク4の符号語に対角行列を乗算することによって得られた行列とを連結することによって得る。
【０１８９】
ブロック603では、8アンテナのランク4の符号語を、8アンテナのランク8の符号語の最初の4列として使用し、8アンテナのランク4の符号語の最初の4行または最後の4行の負の値を、8アンテナのランク8の符号語の最後の4列として使用し、または、8アンテナのランク4の符号語を、8アンテナのランク8の符号語の最後の4列として使用し、8アンテナのランク4の符号語の最初の4行または最後の4行の負の値を、8アンテナのランク8の符号語の最初の4列として使用する。
【０１９０】
本発明の実施形態6に従って、4送信アンテナのDFTベースのランク1の符号語に従って4アンテナのランク4の符号語を得、その後、4アンテナのランク4の符号語に従って8アンテナのランク4の符号語を得、8アンテナのランク4の符号語を拡張することによって8アンテナのランク8の符号語を得る。8アンテナの符号語は、4アンテナの符号語に基づき、これによって、コードブック設計の複雑さを単純化する。8アンテナの符号語は、入れ子になった特性および有限の文字セットを有し、これは、CQIの計算的複雑さを下げることができる。8アンテナの符号語は、二重偏波強相関、二重偏波弱相関、単一偏波強相関、および単一偏波弱相関などを含むシナリオに適用可能である。
【０１９１】
実施形態7
本発明の実施形態7は、単一偏波相関および二重偏波相関のシナリオに適用可能なコードブックを生成する方法を提供する。図7を参照すると、8アンテナのランク4の符号語は、この方法によれば4アンテナのランク4の符号語から直接に得られ、この方法は、具体的には次を含む。
【０１９２】
ブロック701では、4アンテナのランク4コードブックを得る。
【０１９３】
4アンテナのランク4コードブックの構造は、次の通りである。
CB(4)={X1(4),X2(4),…XN(4)}
【０１９４】
ブロック702では、4アンテナのランク4コードブック内の第1の符号語(すなわち、4アンテナの第1のランク4の符号語)に対角行列を乗算し、8アンテナのランク4の符号語を、4アンテナのランク4コードブック内の第1の符号語に対角行列を乗算することによって得られた行列と4アンテナのランク4コードブック内の第2の符号語とを連結することによって得る。このステップでは、前記第1の符号語および前記第2の符号語は、4アンテナランク4コードブック内の最初の符号語および2番目の符号語(すなわち、4アンテナの2番目のランク4の符号語)を表すのではなく、4アンテナのランク4コードブック内の2つの異なる符号語を表す。
【０１９５】
ブロック703では、8アンテナのランク4の符号語を、8アンテナのランク8の符号語の最初の4列として使用し、8アンテナのランク4の符号語の最初の4行または最後の4行の負の値を、8アンテナのランク8の符号語の最後の4列として使用し、または、8アンテナのランク4の符号語を、8アンテナのランク8の符号語の最後の4列として使用し、8アンテナのランク4の符号語の最初の4行または最後の4行の負の値を、8アンテナのランク8の符号語の最初の4列として使用し、8アンテナの得られるランク8の符号語の構造は、次の通りである。
【０１９６】
【数５７】
0005519783.tif 000058
【０１９７】
上のステップ702では、4アンテナのランク4コードブック内の符号語は、対角行列を乗算され、8アンテナのランク4の符号語は、乗算を介して得られた行列とその符号語とを連結することによって得られる。8アンテナの得られるランク8の符号語の行列構造は、次の通りである。
【０１９８】
【数５８】
0005519783.tif 000059
【０１９９】
本発明の実施形態7によれば、8アンテナのランク4の符号語は、4アンテナのランク4の符号語を使用することによって得られ、8アンテナのランク4の符号語は、8アンテナのランク8の符号語を得るために拡張される。8アンテナの符号語は、4アンテナの符号語に基づき、これによって、コードブック設計の複雑さを単純化する。8アンテナの符号語は、入れ子になった特性および有限の文字セットを有し、これは、CQIの計算的複雑さを下げることができ、基地局およびUEのストレージ空間を減らすことができる。8アンテナの符号語は、二重偏波強相関、二重偏波弱相関、単一偏波強相関、および単一偏波弱相関などを含むシナリオに適用可能である。
【０２００】
本発明の実施形態をより理解できるものにするために、例を、下で例示のために与える。
【０２０１】
文字セットが、
【０２０２】
【数５９】
0005519783.tif 000060
【０２０３】
であり、8アンテナコードブック内の符号語のすべての要素が、この文字セット内の要素であると仮定する。コードブック内の符号語の個数が、N=16であると仮定する。
【０２０４】
アンテナの偏波グループ化が、{1,2,3,4}および{5,6,7,8}であり、本発明の実施形態によって提供される技術的解決策を使用することによる弦距離最適化の後に得られる8アンテナのダウンリンクMIMOコードブックが、次の通りであると仮定する。
【０２０５】
【数６０】
0005519783.tif 000061
【０２０６】
ここで、
【０２０７】
【数６１】
0005519783.tif 000062
【０２０８】
であり、Mi(4)=I4-2uiuiH/uiHuiである。
生成されるベクトルuiおよび対角行列Λiを、Table 1(表１)に示す。
【０２０９】
【表１】
0005519783.tif 000063
【０２１０】
ランク8の符号語と他のランクの符号語との間のマッピング関係は、Table 2(表２)に示された通りである。
【０２１１】
【表２】
0005519783.tif 000064
【０２１２】
実施形態8
本発明の実施形態8は、データ伝送の方法を提供する。図8を参照すると、この方法では、8アンテナのコードブックは、UEおよび基地局に格納され、この方法での8アンテナのコードブックは、実施形態1から7までによって提供される技術的解決策に従って得られる。この方法は、具体的には次のステップを含む。
【０２１３】
ブロック801では、基地局が、UEに基準信号を送信する。
【０２１４】
ブロック802では、UEが、基準信号に従って通信路測定を実行する。
【０２１５】
ブロック803では、UEが、通信路測定結果に従って、データ伝送のためにランク、Channel Quality Indicator(CQI)、およびプリコーディング符号語を選択し、プリコーディング符号語は、8アンテナの事前にセットされたコードブックから選択されるある種の行列である、すなわち、1つのプリコーディング符号語(略して符号語)が選択される。
【０２１６】
ブロック804では、UEが、CQI、ランク、およびコードブック内のプリコーディング符号語のラベル(PMI)を基地局にフィードバックする。
【０２１７】
ブロック805では、基地局が、受信したCQI、ランク、およびコードブック内のプリコーディング符号語のラベル(PMI)に従って、変調モードおよびプリコーディング行列などの情報を選択する。
【０２１８】
具体的に言うと、基地局は、8アンテナのコードブック内でプリコーディング行列を検索する。
【０２１９】
ブロック806では、基地局が、見つかったプリコーディング行列を使用して、送信されるデータをコーディングし、コーディングされたデータを送信する。
【０２２０】
ブロック807では、UEが、基地局によって送信されたデータを受信し、ブロック803で選択されたプリコーディング行列を使用することによって、受信されたデータを分析する。
【０２２１】
本発明の実施形態8によれば、UEおよび基地局に格納されたプリコーディング行列は、二重偏波強相関、二重偏波弱相関、単一偏波強相関、および単一偏波弱相関などを含むシナリオに適用可能である。
【０２２２】
実施形態9
本発明の実施形態9は、データ伝送の方法を提供する。図9を参照すると、この方法は、次のステップを含む。
【０２２３】
ブロック901では、UEによって送信された8アンテナのコードブック内の符号語のラベルを受信する。
【０２２４】
ブロック902では、8アンテナのコードブック内でラベルによって識別される符号語を検索する。
【０２２５】
ブロック903では、符号語を使用することによって、送信されるデータをコーディングし、コーディングされたデータを送信する。
【０２２６】
8アンテナのコードブックは、少なくとも、8アンテナの1つのランク8の符号語を含む。8アンテナのランク8の符号語は、8アンテナの回転行列の逆行列に、4アンテナのランク4の符号語によって形成される8次元行列を乗算することによって得られ、または、8アンテナのランク4の符号語を拡張することによって得られ、ここで、8アンテナのランク4の符号語は、4アンテナの符号語に従って得られる。
【０２２７】
本発明の実施形態の上記のステップの主実行本体を、基地局とすることができる。
【０２２８】
本発明の実施形態9によれば、8アンテナのランク8の符号語は、8アンテナの回転行列および4アンテナのランク4の符号語に従って得られ、または、8アンテナのランク4の符号語を拡張することによって得られ、ここで、8アンテナのランク4の符号語は、4アンテナの符号語に従って得られる。8アンテナのランク8の符号語は、二重偏波強相関、二重偏波弱相関、単一偏波強相関、および単一偏波弱相関などを含むシナリオに適用可能である。
【０２２９】
実施形態10
本発明の実施形態10は、データ伝送の方法を提供する。図10を参照すると、この方法は、次のステップを含む。
【０２３０】
ブロック1001では、8アンテナのコードブック内で符号語を選択する。
【０２３１】
ブロック1002では、8アンテナのコードブック内の符号語のラベルを基地局に送信する。
【０２３２】
8アンテナコードブックは、8アンテナの少なくとも1つのランク8の符号語を含む。8アンテナのランク8の符号語は、8アンテナの回転行列の逆行列に4アンテナのランク4の符号語によって形成される8次元行列を乗算することによって得られ、または、8アンテナのランク4の符号語を拡張することによって得られ、ここで、8アンテナのランク4の符号語は、4アンテナの符号語に従って得られる。
【０２３３】
本発明の実施形態の上記ステップを、UEによって実施することができる。
【０２３４】
本発明の実施形態10によれば、8アンテナのランク8の符号語は、8アンテナの回転行列および4アンテナのランク4の符号語に従って得られ、または、8アンテナのランク4の符号語を拡張することによって得られ、ここで、8アンテナのランク4の符号語は、4アンテナの符号語に従って得られる。8アンテナのランク8の符号語は、二重偏波強相関、二重偏波弱相関、単一偏波強相関、および単一偏波弱相関などを含むシナリオに適用可能である。
【０２３５】
実施形態11
本発明の実施形態11は、基地局装置を提供する。図11を参照すると、基地局装置は、ストレージユニット1101、受信ユニット1102、検索ユニット1103、コーディングユニット1104、および送信ユニット1105を含む。
【０２３６】
ストレージユニット1101は、8アンテナのコードブックを格納するように構成される。8アンテナコードブックは、8アンテナの少なくとも1つのランク8の符号語を含む。8アンテナのランク8の符号語は、8アンテナの回転行列の逆行列に4アンテナのランク4の符号語によって形成される8次元行列を乗算することによって得られ、または、8アンテナのランク4の符号語を拡張することによって得られ、8アンテナのランク4の符号語は、4アンテナの符号語に従って得られる。
【０２３７】
受信ユニット1102は、UEによって送信された8アンテナのコードブック内の符号語のラベルを受信するように構成される。
【０２３８】
検索ユニット1103は、8アンテナのコードブック内でラベルによって識別される符号語を検索するように構成される。
【０２３９】
コーディングユニット1104は、検索ユニット1103によって見つけられた符号語を使用することによって、送信されるデータをコーディングするように構成される。
【０２４０】
送信ユニット1105は、コーディングユニット1104によってコーディングされたデータを送信するように構成される。
【０２４１】
8アンテナのランク4の符号語は、4アンテナのランク4の符号語に対角行列を乗算することと、4アンテナのランク4の符号語と、4アンテナのランク4の符号語に対角行列を乗算することによって得られた行列とを連結することとによって得られ、または、8アンテナのランク4の符号語は、4アンテナの第1のランク4の符号語に対角行列を乗算することと、4アンテナの第1のランク4の符号語に対角行列を乗算することによって得られた行列と4アンテナの第2のランク4の符号語とを連結することとによって得られる。
【０２４２】
8アンテナのランク8の符号語の最初の4列は、8アンテナのランク4の符号語であり、最後の4列は、8アンテナランク4の符号語の最初の4行または最後の4行の負の値を得ることによって得られる。
【０２４３】
代替案では、8アンテナのランク8の符号語の最後の4列は、8アンテナのランク4の符号語であり、最初の4列は、8アンテナのランク4の符号語の最初の4行または最後の4行の負の値を得ることによって得られる。
【０２４４】
本発明の実施形態11によれば、8アンテナのランク8の符号語は、8アンテナの回転行列および4アンテナのランク4の符号語に従って得られ、または、8アンテナのランク4の符号語を拡張することによって得られ、ここで、8アンテナのランク4の符号語は、4アンテナの符号語に従って得られ、これによって、コードブック設計の複雑さを単純化する。8アンテナの符号語は、入れ子になった特性および有限の文字セットを有し、これは、CQIの計算的複雑さを下げることができ、基地局のストレージ空間を減らすことができる。8アンテナの符号語は、二重偏波強相関、二重偏波弱相関、単一偏波強相関、および単一偏波弱相関を含むシナリオに適用可能である。
【０２４５】
実施形態12
本発明の実施形態12は、UEを提供する。図12を参照すると、UEは、ストレージユニット1201、選択ユニット1202、および送信ユニット1203を含む。
【０２４６】
ストレージユニット1201は、8アンテナのコードブックを格納するように構成される。8アンテナのコードブックは、8アンテナの少なくとも1つのランク8の符号語を含む。8アンテナのランク8の符号語は、8アンテナの回転行列の逆行列に4アンテナのランク4の符号語によって形成される8次元行列を乗算することによって得られ、または、8アンテナのランク4の符号語を拡張することによって得られ、ここで、8アンテナのランク4の符号語は、4アンテナの符号語に従って得られる。
【０２４７】
選択ユニット1202は、8アンテナのコードブック内の符号語を選択するように構成される。
【０２４８】
送信ユニット1203は、8アンテナのコードブック内の選択された符号語のラベルを基地局に送信するように構成される。
【０２４９】
UEは、基地局によって送信されたデータを受信するように構成された受信ユニット1204をさらに含み、基地局によって送信されたデータは、基地局が、送信されるデータをコーディングするのにラベルによって識別される符号語を使用した後に送信され、UEは、選択された符号語に従って基地局によって送信されたデータを復号するように構成された復号ユニット1205をさらに含む。
【０２５０】
8アンテナのランク4の符号語は、4アンテナのランク4の符号語に対角行列を乗算することと、4アンテナのランク4の符号語と、4アンテナのランク4の符号語に対角行列を乗算することによって得られた行列とを連結することとによって得られ、または、8アンテナのランク4の符号語は、4アンテナの第1のランク4の符号語に対角行列を乗算することと、4アンテナの第2のランク4の符号語と4アンテナの第1のランク4の符号語に対角行列を乗算することによって得られた行列とを連結することとによって得られる。
【０２５１】
8アンテナのランク8の符号語の最初の4列は、8アンテナのランク4の符号語であり、最後の4列は、8アンテナのランク4の符号語の最初の4行または最後の4行の負の値を得ることによって得られ、代替案では、8アンテナのランク8の符号語の最後の4列は、8アンテナのランク4の符号語であり、最初の4列は、8アンテナのランク4の符号語の最初の4行または最後の4行の負の値を得ることによって得られる。
【０２５２】
本発明の実施形態12によれば、8アンテナのランク8の符号語は、8アンテナの回転行列および4アンテナのランク4の符号語に従って得られ、または、8アンテナのランク4の符号語を拡張することによって得られ、ここで、8アンテナのランク4の符号語は、4アンテナの符号語に従って得られ、これによって、コードブック設計の複雑さを単純化する。8アンテナの符号語は、入れ子になった特性および有限の文字セットを有し、これは、CQIの計算的複雑さを下げることができ、UEのストレージ空間を減らすことができる。8アンテナの符号語は、二重偏波強相関、二重偏波弱相関、単一偏波強相関、および単一偏波弱相関などを含むシナリオに適用可能である。
【０２５３】
本発明の実施形態は、ストレージユニット、受信ユニット、検索ユニット、コーディングユニット、および送信ユニットを含む基地局装置を提供する。
【０２５４】
ストレージユニットは、8アンテナのコードブックを格納するように構成される。8アンテナのコードブックは、8アンテナの少なくとも1つのランク8の符号語を含む。8アンテナのランク8の符号語は、8アンテナの回転行列の逆行列に4アンテナのランク4の符号語によって形成される8次元行列を乗算することによって得られ、または、8アンテナのランク4の符号語を拡張することによって得られ、8アンテナのランク4の符号語は、4アンテナの符号語に従って得られる。
【０２５５】
受信ユニットは、UEによって送信された8アンテナのコードブック内の符号語のラベルを受信するように構成される。
【０２５６】
検索ユニットは、ストレージユニットによって格納された8アンテナのコードブック内で、受信ユニットによって受信されたラベルによって識別される符号語を検索するように構成される。
【０２５７】
コーディングユニットは、検索ユニットによって見つけられた符号語を使用することによって、送信されるデータをコーディングするように構成される。
【０２５８】
送信ユニットは、コーディングユニットによってコーディングされたデータを送信するように構成される。
【０２５９】
ストレージユニットは、4アンテナのランク4の符号語と、4アンテナのランク4の符号語に対角行列を乗算することによって得られた行列とを連結することとによって得られる8アンテナのランク4の符号語を格納するようにさらに構成され、または、4アンテナの第2のランク4の符号語と4アンテナの第1のランク4の符号語に対角行列を乗算することによって得られた行列とを連結することとによって得られる8アンテナのランク4の符号語を格納するようにさらに構成される。
【０２６０】
ストレージユニットは、8アンテナのランク8の符号語の最初の4列として8アンテナのランク4の符号語を使用することと、8アンテナのランク8の符号語の最後の4列として8アンテナのランク4の符号語の最初の4行または最後の4行の負の値を使用することとによって得られる8アンテナのランク8の符号語を格納するようにさらに構成され、または、8アンテナのランク8の符号語の最後の4列として8アンテナのランク4の符号語を使用することと、8アンテナのランク8の符号語の最初の4列として8アンテナのランク4の符号語の最初の4行または最後の4行の負の値を使用することとによって得られる8アンテナのランク8の符号語を格納するようにさらに構成される。
【０２６１】
本発明の実施形態は、ストレージユニット、選択ユニット、および送信ユニットを含むUEを提供する。
【０２６２】
ストレージユニットは、8アンテナコードブックを格納するように構成される。8アンテナコードブックは、8アンテナの少なくとも1つのランク8の符号語を含む。8アンテナのランク8の符号語は、8アンテナの回転行列の逆行列に4アンテナのランク4の符号語によって形成される8次元行列を乗算することによって得られ、または、8アンテナのランク4の符号語を拡張することによって得られ、8アンテナのランク4の符号語は、4アンテナの符号語に従って得られる。
【０２６３】
選択ユニットは、ストレージユニットによって格納された8アンテナのコードブック内の符号語を選択するように構成される。
【０２６４】
送信ユニットは、8アンテナのコードブック内の選択ユニットによって選択された符号語のラベルを基地局に送信するように構成される。
【０２６５】
ストレージユニットは、4アンテナのランク4の符号語と、4アンテナのランク4の符号語に対角行列を乗算することによって得られた行列とを連結することとによって得られる8アンテナのランク4の符号語を格納するようにさらに構成され、または、4アンテナの第2のランク4の符号語と4アンテナの第1のランク4の符号語に対角行列を乗算することによって得られた行列とを連結することとによって得られる8アンテナのランク4の符号語を格納するようにさらに構成される。
【０２６６】
ストレージユニットは、8アンテナのランク8の符号語の最初の4列として8アンテナのランク4の符号語を使用することと、8アンテナのランク8の符号語の最後の4列として8アンテナのランク4の符号語の最初の4行または最後の4行の負の値を使用することとによって得られる8アンテナのランク8の符号語を格納するようにさらに構成され、または、8アンテナのランク8の符号語の最後の4列として8アンテナのランク4の符号語を使用することと、8アンテナのランク8の符号語の最初の4列として8アンテナのランク4の符号語の最初の4行または最後の4行の負の値を使用することとによって得られる8アンテナのランク8の符号語を格納するようにさらに構成される。
本発明の実施形態は、
8アンテナの回転行列
【０２６７】
【数６２】
0005519783.tif 000065
【０２６８】
を得るステップと、
4アンテナのランク4の符号語を得るステップと、
回転行列の逆行列に4アンテナのランク4の符号語によって形成される8次元行列を乗算することによって8アンテナのランク8の符号語を得るステップであって、8アンテナのランク8の符号語は、送信されるデータをコーディングするために基地局によって使用される、ステップと
を含む、コードブックを生成する方法を提供する。
【０２６９】
4アンテナのランク4の符号語によって形成される8次元行列の構造は、
【０２７０】
【数６３】
0005519783.tif 000066
【０２７１】
、
【０２７２】
【数６４】
0005519783.tif 000067
【０２７３】
、
【０２７４】
【数６５】
0005519783.tif 000068
【０２７５】
、または
【０２７６】
【数６６】
0005519783.tif 000069
【０２７７】
であり、ここで、Xq(4)およびXp(4)は、それぞれ4アンテナのランク4の符号語である。
【０２７８】
この方法は、
8アンテナの得られたランク8の符号語の行を交換するステップ
をさらに含む。
【０２７９】
本発明の実施形態は、
4アンテナの符号語を得るステップと、
4アンテナの符号語を使用することによって8アンテナのランク1の符号語または8アンテナのランク4の符号語を得るステップと
を含む、コードブックを生成する方法をさらに提供する。
【０２８０】
単一偏波強相関のシナリオに関して、4アンテナの符号語を得るステップは、
式
【０２８１】
【数６７】
0005519783.tif 000070
【０２８２】
を使用することによって4アンテナのDFTベースのランク1の符号語を得るステップであって、
【０２８３】
【数６８】
0005519783.tif 000071
【０２８４】
は、4送信アンテナのDFTベースのランク1の符号語の中の第g符号語の第m行第n列の要素であり、Qは、単一偏波強相関のシナリオについて最適化された符号語の個数であり、NT=4である、ステップ、または、
式
【０２８５】
【数６９】
0005519783.tif 000072
【０２８６】
を使用することによって8アンテナのDFTベースのランク1の符号語Xp(8)を得、アンテナの偏波グループ化に従って4送信アンテナのDFTベースのランク1の符号語の要素になるようにXp(8)内の4つの要素を選択するステップであって、
【０２８７】
【数７０】
0005519783.tif 000073
【０２８８】
は、8アンテナのDFTベースのランク1の符号語の中の第g符号語の第m行第n列の要素であり、Qは、単一偏波強相関のシナリオについて最適化された符号語の個数であり、NT=8である、ステップ
を含む。
【０２８９】
4アンテナの符号語を得るステップは、
ハウスホルダ変換に従って4アンテナのランク4の符号語を得るために4アンテナのDFTベースのランク1の符号語を拡張するステップ、または、
式Mp(4)=ep×Tおよびvp(4)=Mp(:,1)という制約条件を使用することによって4アンテナのランク4の符号語を得るために4アンテナのDFTベースのランク1の符号語を拡張するステップであって、Mp(4)は、4アンテナのランク4の符号語を表し、epは、対角行列であり、Tは、4×4次元ユニタリ行列であり、vp(4)は、4アンテナのDFTベースのランク1の符号語を表す、ステップ
をさらに含む。
【０２９０】
4アンテナの得られる符号語は、4アンテナのDFTベースのランク1の符号語vp(4)を含む。
【０２９１】
4アンテナの符号語を使用することによって8アンテナのランク1の符号語を得るステップは、
4アンテナのDFTベースのランク1の符号語vp(4)と、4アンテナのDFTベースのランク1の符号語vp(4)に最適化されたパラメータ
【０２９２】
【数７１】
0005519783.tif 000074
【０２９３】
を乗算することによって得られる行列とを連結することによって8アンテナのランク1の符号語を得るステップ
を含む。
【０２９４】
4アンテナの得られる符号語は、4アンテナのランク4の符号語Mr(4)を含む。4アンテナの符号語に従って8アンテナのランク1の符号語を得るステップは、
二重偏波強相関のシナリオに関して、アンテナの偏波グループ化が{1,2,5,6}および{3,4,7,8}である時に、8アンテナのランク1の符号語を得るために、4行1列を有する行列を得るために4アンテナの回転行列にMr(4)の第1列を乗算し、4行1列を有する行列に最適化されたパラメータ
【０２９５】
【数７２】
0005519783.tif 000075
【０２９６】
を乗算し、4行1列を有する行列に最適化されたパラメータ
【０２９７】
【数７３】
0005519783.tif 000076
【０２９８】
を乗算することによって得られた行列と、4行1列を有する行列とを連結するステップ、ならびに/あるいは、
二重偏波強相関のシナリオに関して、アンテナの偏波グループ化が{1,2,7,8}および{3,4,5,6}である時に、8アンテナのランク1の符号語を得るために、rが1からR/2までの範囲内である場合に、第1の行列を得るために4アンテナの回転行列にMr(4)の第1列を乗算し、第2の行列を得るために4アンテナの回転行列に
【０２９９】
【数７４】
0005519783.tif 000077
【０３００】
の第1列および最適化されたパラメータ
【０３０１】
【数７５】
0005519783.tif 000078
【０３０２】
を乗算し、第1の行列と第2の行列とを連結し、または、rが(R/2)+1からRまでの範囲内である場合に8アンテナのランク1の符号語を得るために、第3の行列を得るために4アンテナの回転行列に
【０３０３】
【数７６】
0005519783.tif 000079
【０３０４】
の第1列および最適化されたパラメータ
【０３０５】
【数７７】
0005519783.tif 000080
【０３０６】
を乗算し、第1の行列と第2の行列とを連結するステップ、ならびに/あるいは、
二重偏波弱相関のシナリオに関して、8アンテナのランク1の符号語を得るために、第4の行列を得るために4アンテナの回転行列に
【０３０７】
【数７８】
0005519783.tif 000081
【０３０８】
の第1列を乗算し、第5の行列を得るために4アンテナの回転行列に
【０３０９】
【数７９】
0005519783.tif 000082
【０３１０】
の第1列および最適化されたパラメータ
【０３１１】
【数８０】
0005519783.tif 000083
【０３１２】
を乗算し、第4の行列と第5の行列とを連結するステップ
を含む。
【０３１３】
4アンテナの得られる符号語は、4アンテナのランク4の符号語を含む。4アンテナの符号語に従って8アンテナのランク4の符号語を得るステップは、
8アンテナのランク4の符号語を得るために、4アンテナのランク4の符号語に対角行列を乗算し、4アンテナのランク4の符号語に対角行列を乗算することによって得られた行列と4アンテナのランク4の符号語とを連結するステップ、ならびに/あるいは
8アンテナのランク4の符号語を得るために、4アンテナの第1のランク4の符号語に対角行列を乗算し、4アンテナの第2のランク4の符号語と4アンテナの第1のランク4の符号語に対角行列を乗算することによって得られた行列とを連結するステップ
を含む。
【０３１４】
この方法は、さらに、
8アンテナのランク8の符号語の最初の4列として8アンテナのランク4の符号語を使用し、8アンテナのランク8の符号語の最後の4列として8アンテナのランク4の符号語の最初の4行または最後の4行の負の値を使用するステップ、または、
8アンテナのランク8の符号語の最後の4列として8アンテナのランク4の符号語を使用し、8アンテナのランク8の符号語の最初の4列として8アンテナのランク4の符号語の最初の4行または最後の4行の負の値を使用するステップ
を含む。
【０３１５】
当業者は、本発明の実施形態による方法のステップのすべてまたは一部を、関連するハードウェアに命令するプログラムによって実施できることを理解するに違いない。このプログラムを、ROM、磁気ディスク、または光ディスクなどのコンピュータ可読記憶媒体に格納することができる。
【０３１６】
本発明の実施形態の、コードブックを生成する方法とデータ伝送の方法および装置とが、上で詳細に説明される。本発明の原理および態様が、本明細書で特定の例を介して説明される。本発明の実施形態に関する説明は、単に、本発明の方法および核になる概念の理解のしやすさのために提供されるものである。当業者は、本発明の概念に従って特定の実施および応用の範囲に関して本発明の変形形態および修正形態を作ることができる。したがって、本明細書を、本発明に対する限定と解釈してはならない。
【０３１７】
UEおよび基地局の上の実施形態で、ユニットが、機能論理に従って分割されるが、これらが対応する機能を実施できる限り、上記の分割に限定されないことに留意されたい。さらに、各機能ユニットの特定の名前は、本発明の保護範囲を限定するためではなく、区別のために使用される。
【０３１８】
上の説明が、単に、本発明のいくつかの例示的および具体的な実施形態であって、本発明の範囲が、これに限定されないことを理解されたい。本発明によって開示される技術的範囲内で、当業者が簡単に考えることのできるすべての変更または置換は、添付の特許請求の範囲によって定義される本発明の保護範囲に含まれなければならない。
【符号の説明】
【０３１９】
1101  ストレージユニット
1102  受信ユニット
1103  検索ユニット
1104  コーディングユニット
1105  送信ユニット
1201  ストレージユニット
1202  選択ユニット
1203  送信ユニット
1204  受信ユニット
1205  復号ユニット
【図１】
0005519783.tif 000105
【図２】
0005519783.tif 000106
【図３】
0005519783.tif 000107
【図４】
0005519783.tif 000108
【図５】
0005519783.tif 000109
【図６】
0005519783.tif 000110
【図７】
0005519783.tif 000111
【図８】
0005519783.tif 000112
【図９】
0005519783.tif 000113
【図１０】
0005519783.tif 000114
【図１１】
0005519783.tif 000115
【図１２】
0005519783.tif 000116